(57)【要約】【課題】装置の大型化を伴うことなく受光量の高い且つ指向角の広い受光装置を提供するとともに、その受光装置を備えた受発光装置、その受光装置又はその受発光装置を備えた光空間伝送デバイス、その受光装置又はその受発光装置又はその光空間伝送デバイスを備えた電子機器を提供する。【解決手段】受光素子２が基板上１に配設されると共に、これら受光素子２と基板１とがモールドされ、受光レンズ４が該モールド部３と一体に形成された受光装置１０において、前記受光レンズ４を、入射光を前記受光素子２の受光領域に集光させうるように複数のレンズ体４ａ，４ｂ，４ｃ，４ｄを前記受光素子２の光軸Ｒと直交する直線上に配することにより構成した。【選択図】図２
2007234970.tif 000002
【特許請求の範囲】
【請求項１】
受光素子が基板上に配設されると共に、これら受光素子と基板とがモールドされ、受光レンズが該モールド部と一体に形成された受光装置において、
前記受光レンズは、入射光を前記受光素子の受光領域に集光させうるように複数のレンズ体を前記受光素子の光軸と直交する直線上に配することにより構成されたことを特徴とする受光装置。
【請求項２】
隣接するレンズ体の頂点間の距離が前記受光素子の受光幅よりも狭く設定されたことを特徴とする請求項１に記載の受光装置。
【請求項３】
両端に位置するレンズ体の頂点が、これら両端に位置するレンズ体の各内側に隣接するレンズ体との境界線上に位置するように受光レンズが構成されたことを特徴とする請求項１又は２に記載の受光装置。
【請求項４】
前記受光レンズを構成する複数の前記レンズ体のうち少なくとも1つのレンズ体の径が、他のレンズ体の径と異なっていることを特徴とする請求項１乃至請求項３のいずれか一つに記載の受光装置。
【請求項５】
前記受光レンズを構成する前記レンズ体が球面レンズ又は非球面レンズであることを特徴とする請求項１乃至請求項４のいずれか一つに記載の受光装置。
【請求項６】
前記モールド部の周面が、前記受光レンズの周縁から前記受光素子に向かうにしたがって漸次広がる傾斜面とされたことを特徴とする請求項１乃至請求項５のいずれか一つに記載の受光装置。
【請求項７】
請求項１乃至請求項６のいずれか一つに記載の受光装置と、この受光装置の基板上に前記受光素子と共に配設される発光素子と、この発光素子と対向する位置に該受光装置の前記モールド部と一体に形成される発光レンズとを備えた受発光装置。
【請求項８】
請求項１乃至請求項６のいずれか一つに記載の受光装置又は請求項７に記載の受発光装置にシールドケースを被せてなる光空間伝送デバイス。
【請求項９】
前記シールドケースが導電性樹脂からなることを特徴とする請求項８に記載の光空間伝送デバイス。
【請求項１０】
請求項１乃至請求項６のいずれか一つに記載の受光装置を搭載した電子機器。
【請求項１１】
請求項７記載の受発光装置を搭載した電子機器。
【請求項１２】
請求項８又は請求項９のいずれかに記載の光空間伝送デバイスを搭載した電子機器。
【発明の詳細な説明】
【技術分野】
【０００１】
受光素子が基板上に配設されると共に、これら受光素子と基板とがモールドされ、受光レンズが該モールド部と一体に形成された受光装置、その受光装置を備えた受発光装置、その受光装置又はその受発光装置を備えた光空間伝送デバイス、その受光装置又はその受発光装置又はその光空間伝送デバイスを備えた電子機器に関する。
【背景技術】
【０００２】
図７は従来の受光装置の正面図、図８は図７のＡ−Ａ’線に沿う断面図、図９は図７のＢ−Ｂ’線に沿う断面図である。
【０００３】
この受光装置は、表面が銀等でメッキされた鉄等を主成分とするリードフレーム１０１上に受光素子１０２が導電性接着剤１０３によりボンディングされ、さらに、受光素子１０２と電気的に接合していない他方のリードフレーム１０１と、受光素子１０２上の電極とが、ボンディングワイヤ１０４にて電気的に接合された後、全体がエポキシ等の熱硬化性樹脂によりモールドされて形成されている。さらに、このモールド部１０５と一体に半球型の受光レンズ１０６が成型されている。
【０００４】
このような受光装置は、例えばテレビやエアーコンディショナ等の家庭用電気製品等に搭載され、これら電気製品等の動作を操作するリモコンに搭載された発光装置からの信号を受信する。受信された信号は受光装置から電気製品等の本体の回路に伝達され、所定の動作が行われる（例えば、特許文献１）。
【特許文献１】特開２００４−２２９３２号公報
【発明の開示】
【発明が解決しようとする課題】
【０００５】
ところで、上記した受光装置の受光量は、受光装置の正面方向から入射してくる光成分に対して最大となる。受光装置の正面方向から入射してくる光は、受光素子に十分に受光されるが、受光装置の正面方向以外の方向から入射してくる光は受光素子に十分に受光されない。このため、同じ強度の光であっても、正面方向以外の方向から入射してくる光の受光量は、正面方向から入射してくる光の受光量に比べて遥かに少なく、受光装置の正面以外の方向からの光に対して十分な受光感度を得ることはできない。すなわち、従来の受光装置は指向角が狭いものであった。
【０００６】
そこで、受光量を増大させる手段としては、受光レンズの径を大きくすることが考えられるが、受光レンズの径を大きくすると、それに応じて焦点距離が長くなるため、受光素子の受光面から受光レンズ先端までの距離を長くする必要が生じ、結果的に受光装置は大型化してしまう。
【０００７】
また、受光量を増大させる手段としてフォトダイオード等の受光素子のサイズを大きくする方法も考えられるが、この場合、受光素子のサイズを大きくした分だけ受光装置の応答性が遅くなる。ここで、受光素子に逆バイアスをかけると応答性はアップするが、受光素子のサイズを大きくした分、受光装置は大型化してしまう。
【０００８】
このように、従来にあっては、受光量を増大させようとすると受光装置が大型化してしまい、その結果、受光装置を搭載する装置等の小型化が阻まれてしまうといった問題があった。
【０００９】
そこで本発明は、上記課題を解決するためになされたものであり、装置の大型化を伴うことなく受光量の高い且つ指向角の広い受光装置を提供することを目的としている。また、その受光装置を備えた受発光装置、その受光装置又はその受発光装置を備えた光空間伝送デバイス、その受光装置又はその受発光装置又はその光空間伝送デバイスを備えた電子機器を提供することを目的としている。
【課題を解決するための手段】
【００１０】
上記課題を解決するために、本発明に係る受光装置は、受光素子が基板上に配設されると共に、これら受光素子と基板とがモールドされ、受光レンズが該モールド部と一体に形成された受光装置において、前記受光レンズは、入射光を前記受光素子の受光領域に集光させうるように複数のレンズ体を前記受光素子の光軸と直交する直線上に配することにより構成されたことを特徴としている。
【００１１】
このような構成とすると、受光素子の光軸に対して入射してくる光を、各々のレンズ体で捕らえて受光素子の受光領域に集光させることができる。また、受光レンズは、前記受光素子の光軸と直交する直線上に複数のレンズ体を配したものであるから、受光レンズの大型化を伴わずに指向角が広いものとなっている。
【００１２】
さらに、上記した本発明に係る受光装置によれば、隣接するレンズ体の頂点間の距離は、前記受光素子の受光幅よりも狭く設定されているものであってもよい。なお、受光幅とは、受光素子のレンズ体の配列方向に沿う方向の寸法をいう。隣接するレンズ体の頂点間の距離を、前記受光素子の受光幅よりも狭くしていくと、これに伴って受光レンズ中央部における起伏が小さなものとなる。これにより、受光レンズ中央部に入射した光は、受光素子に対してほぼ垂直に集光され、受光装置の正面方向より入射してくる光に対してより高い受光量を得ることができる。
【００１３】
さらに、両端に位置するレンズ体の頂点がこれら両端に位置するレンズ体の各内側に隣接するレンズ体との境界線上に位置するように受光レンズが構成されたものであってもよい。
【００１４】
このような構成によれば、各レンズ体に入射した光は、受光素子の受光領域の集光方向に屈折されるため、各レンズ体に入射した光は受光素子の受光領域に到達し易く、より高い受光量を得ることができる。すなわち、上記の構成とは逆に、両端に位置するレンズ体の頂点がこれら両端に位置するレンズ体の各内側に隣接するレンズ体との境界線よりも外側に位置するように受光レンズが構成されると、両端に位置するレンズ体に入射した光のうち、これら両端に位置するレンズ体の頂点より各内側寄りの位置に入射した光は、受光素子の受光領域の集光方向と相反する方向に屈折してしまい、受光素子の受光領域に到達し難い。
【００１５】
また、本発明にあっては、前記受光レンズを構成する複数の前記レンズ体のうち少なくとも1つのレンズ体の径が、他のレンズ体の径と異なっていてもよい。
【００１６】
このようにすると、１つのレンズ体にて捕らえきれない微弱な光を隣接する径の大きいレンズ体で多く捕らえることができるため、より高い受光量を得ることが可能となる。
【００１７】
また、本発明にあっては、前記受光レンズを構成する前記レンズ体は、球面レンズであっても、非球面レンズであってよい。
【００１８】
このようにレンズ体を球面レンズとすると、受光レンズ全体の設計が簡単なものとなる。一方、レンズ体を非球面レンズとすると、受光レンズを構成するレンズ体の数が少なくても、球面レンズとした場合に比べてより多くの光を受光することができる。
【００１９】
また、本発明にあっては、前記モールド部の周面を、前記受光レンズの周縁から前記受光素子に向かうにしたがって漸次広がる傾斜面としてもよい。
【００２０】
このような構成とすると、受光レンズに加えてモールド部によっても、受光装置の正面方向以外の方向から入射してくる光を受光素子の受光領域に集光させうることができるため、指向角がより広いものとなる。
【００２１】
また、本発明に係る受発光装置は、上記した本発明に係る受光装置と、この受光装置の基板上に前記受光素子と共に配設される発光素子と、この発光素子と対向する位置に該受光装置の前記モールド部と一体に形成される発光レンズとを備えている。
【００２２】
このような構成の受発光装置は、受光装置と発光装置が同一モールドパッケージ内に収められているため、受光装置と発光装置とが別々にモールドされた受発光装置と比べて外形サイズは小さいものとなる。
【００２３】
また、本発明に係る光空間伝送デバイスは、上記した本発明に係る受光装置又は受発光装置にシールドケースを被せてなる。
【００２４】
さらに、この光空間伝送デバイスのシールドケースは、金属製のものであっても、導電性樹脂製のものであってもよい。
【００２５】
このようにシールドケースに導電性樹脂製のものを使用すると、この光空間伝送デバイスの製造工程において、受発光装置のモールド工程時にシールドケースを形成することができるため、金属製のシールドケースを使用した場合に必要なシールドケース装着工程を省略することができる。
【００２６】
本発明に係る電子機器は、上記した本発明に係る受光装置、又は上記した本発明に係る受発光装置、又は上記した本発明に係る光空間伝送デバイスを搭載したものである。
【００２７】
これにより、装置を大型化することなく、長距離受信、長距離通信、広い視野角での受信、通信が可能となる。
【発明の効果】
【００２８】
本発明によれば、装置の大型化を伴うことなく受光量の高い且つ指向角の広い受光装置を提供することができる。
【００２９】
よって、その受光装置を備えた受発光装置、その受光装置又はその受発光装置を備えた光空間伝送デバイスは、寸法制限がある電子機器に搭載されることが可能である。このため、本発明に係る受光装置、受発光装置、光空間伝送デバイスが搭載された電子機器は、機器を大型化することなく、長距離受信及び長距離通信を行ったり、広い視野角での受信や通信を行ったりすることができる。
【発明を実施するための最良の形態】
【００３０】
以下、本発明の実施の形態について、図面を参照して説明する。
【００３１】
図１は、本発明の一実施形態に係る受光装置の斜視図、図２は、図１に示す本発明の一実施形態に係る受光装置の部分正面断面図、図３は本発明の他の実施形態に係る受光装置の部分正面断面図である。
【００３２】
図１〜図３に示すように本発明に係る受光装置１０はリードフレーム１と、このリードフレーム１上に配設された受光素子２と、リードフレーム１の基端部と受光素子２全体とをモールドして形成されるモールド部３と、このモールド部３と一体に成型された受光レンズ４とからなる。
【００３３】
このような受光装置１０の製造方法の一実施形態を、図４に示すフローチャートに従って説明する。
【００３４】
導電率が高い鉄や銅あるいは合金からなる金属板にスタンピング法またはエッチング法によるパターン形成が施され、その表面が銀メッキ等で処理されてできたリードフレーム１上に受光素子２を、銀を主成分とする導電性接着剤によってダイボンドする（ダイボンド工程）。続いて、金等を主成分とするボンディングワイヤ（図省略）等により、電気的に接合していない他方のリードフレーム１と受光素子２上の電極とを電気的に接合する（ワイヤボンド工程）。さらに、リードフレーム１の基端部と受光素子２とボンディングワイヤとをエポキシ等の熱硬化性樹脂により樹脂封止してモールド部３を形成する（樹脂モールド工程）。この際、同様の熱硬化性樹脂にてモールド部３と一体に受光レンズ４を形成する。さらにタイバーカット、リードカット（リードカット工程）を行った後、フォーミング工程を経て図１〜図３に示すような受光装置１０が完成する。
【００３５】
なお、リードフレーム１の代わりに、銅によるパターン形成がなされたプリント配線基板表面に金、ニッケル等によるメッキ処理が施されて形成された基板を使用してもよい。このような基板を使用した場合の製造工程も、モールド工程まではリードフレームを使用した場合と同様の工程にて進み、モールド工程以降はダイシングを行って完成させる。
【００３６】
次に本発明に係る受光装置１０の構造について以下に詳述する。
【００３７】
本発明に係る受光装置１０の受光レンズ４は、入射光を受光素子２の受光領域（図２及び図３において受光素子２の上面全面）に集光させうるように複数のレンズ体４ａ，４ｂ，４ｃ，４ｄを受光素子２の光軸Ｒと直交する直線上に配することにより構成される（図２、図３参照）。
【００３８】
図１〜図３に示す本実施形態に係る受光装置１０の受光レンズ４は、４つのレンズ体４ａ，４ｂ，４ｃ，４ｄにより構成されており、これら４つのレンズ体４ａ，４ｂ，４ｃ，４ｄは入射光を前記受光素子２の受光領域に集光させうるように、受光素子２の光軸Ｒと直交する直線上に配されている。
【００３９】
受光レンズ４に入射した光（図中、複数本の矢符で示す）は、複数のレンズ体４ａ，４ｂ，４ｃ，４ｄを透過し、受光素子２上に集光される。受光レンズ４の中央側に位置する２つのレンズ体４ｂ，４ｃは、主に受光装置１０の正面方向から入射してくる光を受光素子２の受光領域に集光させる。受光レンズ４の両端に位置するレンズ体４ａ，４ｄは、主に受光装置１０の正面方向以外の方向から入射してくる光を受光素子２の受光領域に集光させる。
【００４０】
このように本発明に係る受光装置１０の受光レンズ４は、受光素子２の光軸Ｒに対して入射してくる光を、その光軸Ｒに対する入射角に応じて４つのレンズ体４ａ，４ｂ，４ｃ，４ｄで捕らえて、受光素子２の受光領域に集光させている。
【００４１】
受光レンズが１つのレンズ体で構成される従来の受光装置（図８〜図９参照）では、広い指向角を得るために受光レンズを構成するレンズ体の径を大きくした結果、受光レンズの焦点距離が長くなり、受光装置のサイズが大きくなってしまっていた。しかし、本発明の受光レンズ４は、前記受光素子２の光軸Ｒと直交する直線上に複数のレンズ体４ａ，４ｂ，４ｃ，４ｄを配したものであるから、受光レンズ２の大型化を伴わずに指向角を広げることが可能である。
【００４２】
さらに、上記した受光装置１０において、受光レンズ４を構成する複数のレンズ体４ａ，４ｂ，４ｃ，４ｄの頂点間の距離ｈ0を、受光幅ｈ1よりも狭くした（図２、図３参照）。なお、受光幅とは、受光素子２の、レンズ体４ａ，４ｂ，４ｃ，４ｄの配列方向に沿う方向の寸法をいう。隣接するレンズ体４ａ，４ｂ，４ｃ，４ｄの頂点間ｈ0の距離を、前記受光素子２の受光幅ｈ1よりも狭くしていくと、これに伴って受光レンズ４の中央部における起伏が小さなものとなる（図２、図３参照）。これにより、受光レンズ４中央部に入射した光は、受光素子２に対してほぼ垂直に集光され、受光装置１０の正面方向より入射してくる光に対してより高い受光量を得ることができる。
【００４３】
例えば、レンズ体の頂点間の距離ｈ0を受光幅ｈ1よりも小さくした図２、図３に示す受光装置１０では、受光素子２の光軸Ｒの正面より受光レンズ４の中央部に入射した光は、その中央部を構成する２つのレンズ体４ｂ，４ｃを透過し、受光素子２の受光領域に対して垂直に集光される。よって、レンズ体の頂点間の距離ｈ0が受光幅ｈ1よりも大きい受光レンズを備えた受光装置と比べてより高い受光量を得ることができる。
【００４４】
また、従来の受光装置は、受光レンズの焦点位置に受光素子が位置するように設計されていたが、上記した受光装置１０は、受光レンズ４の焦点位置よりも受光レンズ４側に受光素子２を配置してもよい。このようにすると、できるだけパッケージサイズを大きくする事なく、より多くの光量を受光することができる。
【００４５】
さらに、上記した受光装置１０では、図２に示すように、受光レンズ４において、両端に位置するレンズ体４ａ，４ｄの頂点Ｐａ，Ｐｄが、これら両端に位置するレンズ体４ａ，４ｄの各内側に隣接するレンズ体４ｂ，４ｃとの境界線上Ｌ1，Ｌ2に位置するようにした。
【００４６】
このように、両端に位置するレンズ体４ａ，４ｄの頂点Ｐａ，Ｐｄがこれら両端に位置するレンズ体４ａ，４ｄの各内側に隣接するレンズ体４ｂ，４ｃとの境界線Ｌ1，Ｌ2上に位置するように受光レンズ４が構成されると、各レンズ体に入射した光は、受光素子２の受光領域の集光方向に屈折されるため、各レンズ体に入射した光４ａ，４ｂ，４ｃ，４ｄは受光素子２の受光領域に到達し易く、より高い受光量を得ることができる。すなわち、上記構成とは逆に、図３に示すように、両端に位置するレンズ体４ａ，４ｄの頂点Ｐａ，Ｐｄがこれら両端に位置するレンズ体４ａ，４ｄの各内側に隣接するレンズ体４ｂ，４ｃとの境界線Ｌ1，Ｌ2よりも外側に位置するように受光レンズ４が構成されると、両端に位置するレンズ体４ａ，４ｄに入射した光のうち、これら両端に位置するレンズ体４ａ，４ｄの頂点Ｐａ，Ｐｄより各内側寄りの位置に入射した光は、受光素子２の受光領域の集光方向と相反する方向に屈折してしまい、受光素子２の受光領域に到達し難い。
【００４７】
また、図２に示す構成の受光装置１０においては、上記境界線Ｌ1，Ｌ2を、受光素子２から光源に向かって拡開するようにするとよい。このようにすると、各レンズ体４ａ，４ｂ，４ｃ，４ｄに入射した光は、入射したレンズ体以外のレンズ体により妨げられることなく、入射したレンズ体のみを透過して受光素子２の受光領域に集光される。
【００４８】
さらに、本発明に係る受光装置１０においては、複数のレンズ体４ａ，４ｂ，４ｃ，４ｄのうち少なくとも１つのレンズ体の径を他のレンズ体の径と異なるようにしてもよい。
このように、受光レンズ４を構成するレンズ体４ａ，４ｂ，４ｃ，４ｄのうち少なくとも１つのレンズ体の径を他のレンズ体の径と異なるようにすると、１つのレンズ体の曲面にて捕らえきれない微弱な光を径の大きいレンズ体の曲面にて多く捕らえて受光素子２上に集光させることができる。例えば、図２に示す４つのレンズ体４ａ，４ｂ，４ｃ，４ｄのうち、受光素子２の中心よりも外側に位置する２つのレンズ体４ａ，４ｄの径を内側に位置する２つのレンズ体４ｂ，４ｃの径よりも長くするとよい。このようにすると、受光装置１０の側面方向からくる弱い光を径の大きい受光レンズ４の両端を構成するレンズ体４ａ，４ｄで多く集めて受光素子２上に集光させることができる。
【００４９】
また、各レンズ体４ａ，４ｂ，４ｃ，４ｄは球面レンズであっても、非球面レンズであってもよい。
【００５０】
このようにレンズ体４ａ，４ｂ，４ｃ，４ｄを球面レンズとすると、受光レンズ４全体の設計が簡単なものとなる。一方、レンズ体４ａ，４ｂ，４ｃ，４ｄを非球面レンズとすると、受光レンズ４を構成するレンズ体の数が少なくても、球面レンズとした場合に比べてより多くの光を受光することができる。
【００５１】
さらに、上記した受光装置１０において、図２に示すように、モールド部３の周面を、受光レンズ４の周縁から前記受光素子２に向かうにしたがって漸次広がる傾斜面とした。
【００５２】
このような構成とすると、受光レンズ４に加えて、モールド部３によっても受光装置１０の正面方向以外の方向から入射してくる光を受光素子２の受光領域に集光させうることができるため、指向角がより広いものとなる。
【００５３】
図５に、本発明に係る受光装置１０と発光装置を１つのモールドパッケージ内に備えた受発光装置の一実施形態を示す。図５に示すように、この受発光装置２０は、発光素子５と受光素子２と集積回路素子７とが同一基板１上に実装され、これら全体がエポキシ樹脂などによりモールド３されている。そして、発光素子５に対向して発光レンズ６が、また受光素子２に対向して受光レンズ４がそれぞれ、モールド部３と一体にエポキシ樹脂などにより形成されている。受光レンズ４は、上記した図２に示す本発明に係る受光装置１０と同様の受光レンズ４であり、入射光を受光素子２の受光領域に集光させうるように複数のレンズ体４ａ，４ｂ，４ｃ，４ｄを受光素子２の光軸Ｒと直交する直線上に配することにより構成されている。
【００５４】
ここで、受光素子２、発光素子５、集積回路素子７は、基板１上に形成された導体パターン上に銀を主成分とする導電性接着材によりダイボンディングされており、発光素子５、受光素子２、および集積回路素子７の各電極が基板１の電極にそれぞれ金等を主成分とするボンディングワイヤ８を介して接続されている（図５参照）。
【００５５】
また、受発光機能を備える光空間伝送デバイスに本発明に係る受光装置１０又は受発光装置２０を備えてもよく、図６に、前述した受発光装置２０をシールドケース３０で覆ってなる光空間伝送デバイス４０の一実施形態を示す。シールドケース３０は、ノイズによる影響や誤動作を抑える為に備えられたもので、金属製又は導電性樹脂製のいずれのものを使用してもよいが、導電性樹脂製のシールドケース３０を使用すると、この光空間伝送デバイス４０の製造工程において、受発光装置２０におけるモールド工程の際に同時にシールドケース３０を形成させることできるため、金属製のシールドケース３０を使用した時に必要なシールドケース３０の装着工程を削減することができる。
【００５６】
本発明に係る上記受光装置１０、又は受発光装置２０、又は光空間伝送デバイス４０が搭載されたテレビ等の機器は、指向角が広く、長距離通信が可能であるため、例えば発光装置又は光空間伝送デバイス４０を搭載した携帯電話と通信を行うことが可能である。よって、その携帯電話をテレビのリモコン機能として利用するだけでなく、携帯電話に保存しているデータ、例えば写真データ等を送信してテレビに表示させることもできる。また、本発明に係る受光装置１０、受発光装置２０、及び光空間伝送デバイス４０は、広い指向角を有しているため機器の正面以外の方向から送信された信号を受信することができる。
【図面の簡単な説明】
【００５７】
【図１】本発明に係る受光装置の一実施形態を示す斜視図である。
【図２】図１に示す受光装置の部分正面断面図である。
【図３】本発明に係る受光装置の他の実施形態を示す部分正面断面図である。
【図４】本発明に係る受光装置の製造工程を示すフロー図である。
【図５】本発明に係る受光装置を備えた受発光装置の一実施形態を示す部分正面断面図である。
【図６】本発明に係る受光装置を備えた受発光装置をシールドケースで覆い光空間伝送デバイスとした時の一実施形態を示す斜視図である。
【図７】従来の受光装置の示す正面図である。
【図８】図７に示すＡ−Ａ’線に沿う断面図である。
【図９】図７に示すＢ−Ｂ’線に沿う断面図である。
【符号の説明】
【００５８】
１      リードフレーム（基板）
２      受光素子
３      モールド部
４      受光レンズ
４ａ，４ｂ，４ｃ，４ｄ  レンズ体
５      発光素子
６      発光レンズ
７      集積回路素子
８      ボンディングワイヤ
１０    受光装置
２０    受発光装置
３０    シールドケース
４０    光空間伝送デバイス
Ｒ      受光素子の光軸
ｈ0     レンズ体の頂点間の距離
ｈ1     受光幅
Ｐａ，Ｐｄ  両端のレンズ体の各頂点
【図１】
2007234970.tif 000003
【図２】
2007234970.tif 000004
【図３】
2007234970.tif 000005
【図４】
2007234970.tif 000006
【図５】
2007234970.tif 000007
【図６】
2007234970.tif 000008
【図７】
2007234970.tif 000009
【図８】
2007234970.tif 000010
【図９】
2007234970.tif 000011